(57)【特許請求の範囲】
【請求項１】
物体側から像側へ順に、
ズーミングのためには移動しない正の屈折力を有する第１レンズ群と、
ズーミングのために移動する負の屈折力を有する第２レンズ群と、
ズーミングのために移動する１以上のレンズ群と、
開口絞りを含み、正の屈折力を有するＲ１レンズ群と、
光路に挿抜可能かつズーミング範囲を変更可能なＥＸＴレンズ群と、
Ｒ２レンズ群と、
から構成され、
前記Ｒ１レンズ群は、前記第２レンズ群よりも像側のレンズ群から前記ＥＸＴレンズ群までの中で最も大きい有効径のレンズを有し、
無限遠合焦かつ広角端における前記Ｒ１レンズ群での軸上光線の最大光線高さをｈＲ１とし、無限遠合焦かつ広角端における前記ＥＸＴレンズ群における最大光線高さをｈＥＸＴとして、条件式
１．５０＜ｈＲ１／ｈＥＸＴ＜３．５０
を満たし、前記Ｒ１レンズ群に入射する軸上光束は発散光束であることを特徴とするズームレンズ。
ここで、レンズ群における前記最大光線高さとは、該レンズ群に含まれる複数のレンズ面を通過する光線の各レンズ面での光線高さのうち最大のものをいう。
【請求項２】
無限遠合焦かつ広角端における前記Ｒ１レンズ群の焦点距離をｆＲ１とし、前記ＥＸＴレンズ群が退避した場合かつ無限遠合焦かつ広角端における、前記Ｒ１レンズ群と前記Ｒ２レンズ群との合成焦点距離をｆＲとして、条件式
０．２５＜ｆＲ１／ｆＲ＜０．９０
を満たすことを特徴とする請求項１に記載のズームレンズ。
【請求項３】
無限遠合焦かつ広角端における前記Ｒ１レンズ群の焦点距離をｆＲ１とし、前記Ｒ２レンズ群の焦点距離をｆＲ２として、条件式
０．２０＜ｆＲ１／ｆＲ２＜０．５０
を満たすことを特徴とする請求項１又は２に記載のズームレンズ。
【請求項４】
前記Ｒ１レンズ群は、正の屈折力を有するレンズと負の屈折力を有するレンズとを接合してなる接合レンズを少なくとも１つ有することを特徴とする請求項１乃至３のうちいずれか１項に記載のズームレンズ。
【請求項５】
前記ＥＸＴレンズ群は、正の屈折力を有するレンズと負の屈折力を有するレンズとを接合してなる接合レンズを少なくとも１つ有することを特徴とする請求項１乃至４のうちいずれか１項に記載のズームレンズ。
【請求項６】
前記ＥＸＴレンズ群が退避した場合におけるイメージサークルの直径をφとし、前記ＥＸＴレンズ群内のレンズの有効径のうち最大の有効径をＤとして、条件式
０．２０＜Ｄ／φ＜１．２０
を満たすことを特徴とする請求項１乃至５のうちいずれか１項に記載のズームレンズ。
ただし、前記ＥＸＴレンズ群が退避した場合かつ無限遠合焦かつ広角端における、焦点距離および半画角をそれぞれｆｗおよび半画角をωとして、前記直径φは、式
φ＝２×ｆｗ×ｔａｎω
で求められるものとする。
【請求項７】
無限遠合焦かつ広角端における、前記Ｒ１レンズ群の最も物体側の面から最も像側の面までの間隔をＬＲ１とし、前記第１レンズ群の最も物体側の面から像面までの間隔をＬｔｏｔａｌとして、条件式
０．１０＜ＬＲ１／Ｌｔｏｔａｌ＜０．３０
を満たすことを特徴とする請求項１乃至６のうちいずれか１項に記載のズームレンズ。
【請求項８】
前記Ｒ１レンズ群は、少なくとも１面に非球面を有することを特徴とする請求項１乃至７のうちいずれか１項に記載のズームレンズ。
【請求項９】
前記ＥＸＴレンズ群が退避した場合かつ無限遠合焦かつ広角端における、前記Ｒ１レンズ群と前記Ｒ２レンズ群との合成横倍率をβＲとして、条件式
−３．０＜βＲ＜−１．８
を満たすことを特徴とする請求項１乃至８のうちいずれか１項に記載のズームレンズ。
【請求項１０】
前記第１レンズ群の焦点距離をｆ１とし、前記第２レンズ群の焦点距離をｆ２として、条件式
−１０．０＜ｆ１／ｆ２＜−２．５
を満たすことを特徴とする請求項１乃至９のうちいずれか１項に記載のズームレンズ。
【請求項１１】
前記開口絞りより物体側のレンズ群でフォーカシングを行うことを特徴とする請求項１乃至１０のうちいずれか１項に記載のズームレンズ。
【請求項１２】
前記Ｒ１レンズ群のうち少なくとも一部のレンズ群は、ズーミングのために移動することを特徴とする請求項１乃至１１のうちいずれか１項に記載のズームレンズ。
【請求項１３】
請求項１乃至１２のうちいずれか１項に記載のズームレンズと、
前記ズームレンズの像面に配された撮像素子と、
を有することを特徴とする撮像装置。
【発明の詳細な説明】
【技術分野】
【０００１】
本発明は、テレビカメラやビデオカメラ及び写真用カメラ、放送用テレビカメラ、映画撮影用カメラに好適な内蔵エクステンダ付のズームレンズに関し、特に大口径且つ高倍率の望遠ズームレンズ及びそれを有する撮像装置に関するものである。
【背景技術】
【０００２】
テレビ等で自然番組等を撮影（例えば屋外で動物や鳥などを遠距離から撮影）する場合、高変倍比で望遠域の焦点距離まで使用可能で(例えば、７倍以上の高倍率で、且つ望遠端の半画角が３度以下)、高い光学性能を有するズームレンズが要望されている。このような撮影においては、カメラを肩に担いで撮影する場合も多いため、より小型軽量で携帯性に優れたズームレンズが要望されている。また、低照度の環境下でも撮影可能な大型センサ（撮像素子）を有するカメラに対応したズームレンズが求められている。そのため、１型を超えるような大型センサに対応しながらも、携帯性や機能性に優れた、動画撮影に好適な高倍率・望遠ズームレンズへの要望が高まっている。
【０００３】
一方で、幅広い焦点距離範囲をカバーするために、ズームレンズの焦点距離範囲を長焦点距離側、或いは短焦点距離側に変化させるコンバータレンズが種々提案されている。特にテレビカメラ用ズームレンズでは、リレーレンズ中のアフォーカル光路中に挿抜可能で、焦点距離範囲を望遠側へ変化させることが可能な内蔵エクステンダが採用されていることが知られている。この方式は、エクステンダの挿抜により焦点距離範囲を切り替えても、レンズ全長、及びバックフォーカスが変化せず、切り替えを容易に行うことができる利点がある。
【０００４】
特許文献１では、４群より構成されるズームレンズで、内蔵エクステンダ挿入時の望遠端画角が０．２度程度、変倍比が１００倍程度であり、２／３型の放送用テレビカメラに好適な高倍率ズームレンズが提案されている。
【０００５】
特許文献２では、４群より構成されるズームレンズで、内蔵エクステンダ挿入時の望遠端画角が１．０度程度、変倍比が２０倍程度であり、２／３型の放送用テレビカメラに好適な高倍率ズームレンズが提案されている。
【先行技術文献】
【特許文献】
【０００６】
【特許文献１】特開２０１２−２７３０８号公報
【特許文献２】特開２０１２−１８５２７２号公報
【発明の概要】
【発明が解決しようとする課題】
【０００７】
特許文献１、２のズームレンズの構成で、さらに大きな撮像素子に対応するためには、リレーレンズ群およびエクステンダを含めた変倍群よりも像側の有効径が増大し、レンズ全体の小型化が難しい。特に、内蔵エクステンダの有効径も増大し、エクステンダの退避スペースの増大や重量増大および全長増大につながる。
【０００８】
本発明は、例えば、大型撮像素子への対応、高変倍比、望遠、小型軽量、および全ズーム範囲での高い光学性能の点で有利なズームレンズを提供することを目的とする。
【課題を解決するための手段】
【０００９】
本発明のズームレンズは、物体側から像側へ順にズーミングのためには移動しない正の屈折力を有する第１レンズ群、ズーミングのために移動する負の第２レンズ群、ズーミングのために移動する少なくとも１以上のレンズ群、開口絞りを含む正の屈折力のＲ１レンズ群、光路中から退避可能かつズーミング範囲を変更可能なＥＸＴレンズ群、Ｒ２レンズ群から構成され、前記Ｒ１レンズ群は、前記第２レンズ群より像側のレンズ群から前記ＥＸＴレンズ群までの中で最も大きい有効径のレンズを有し、無限遠合焦かつ広角端における前記Ｒ１レンズ群での軸上光線の最大光線高さをｈＲ１とし、無限遠合焦かつ広角端における前記ＥＸＴレンズ群における最大光線高さをｈＥＸＴとして、条件式
１．５０＜ｈＲ１／ｈＥＸＴ＜３．５０
を満たし、前記Ｒ１レンズ群に入射する軸上光束は発散光束であることを特徴としている。ここで、レンズ群における前記最大光線高さとは、該レンズ群に含まれる複数のレンズ面を通過する光線の各レンズ面での光線高さのうち、最大のものをいう。
【発明の効果】
【００１０】
本発明によれば、例えば、大型撮像素子への対応、高変倍比、望遠、小型軽量、および全ズーム範囲での高い光学性能の点で有利なズームレンズを提供することができる。
【図面の簡単な説明】
【００１１】
【図１】本発明の実施例１のズームレンズの広角端で無限遠物体に合焦しているときのレンズ断面図である。
【図２】実施例１のエクステンダ退避時における物体距離無限遠での（Ａ）広角端、（Ｂ）焦点距離４８４．２０ｍｍ、（Ｃ）望遠端における縦収差図である。
【図３】実施例１のエクステンダ挿入時における物体距離無限遠での（Ａ）広角端、（Ｂ）焦点距離７２６．３０ｍｍ、（Ｃ）望遠端における縦収差図である。
【図４】本発明の実施例２のズームレンズの広角端で無限遠物体に合焦しているときのレンズ断面図である。
【図５】実施例２のエクステンダ退避時における物体距離無限遠での（Ａ）広角端、（Ｂ）焦点距離５７５．００ｍｍ、（Ｃ）望遠端における縦収差図である。
【図６】実施例２のエクステンダ挿入時における物体距離無限遠での（Ａ）広角端、（Ｂ）焦点距離１０３５．００ｍｍ、（Ｃ）望遠端における縦収差図である。
【図７】本発明の実施例３のズームレンズの広角端で無限遠物体に合焦しているときのレンズ断面図である。
【図８】実施例３のエクステンダ退避時における物体距離無限遠での（Ａ）広角端、（Ｂ）焦点距離４８４．２０ｍｍ、（Ｃ）望遠端における縦収差図である。
【図９】実施例３のエクステンダ挿入時における物体距離無限遠での（Ａ）広角端、（Ｂ）焦点距離７２６．３０ｍｍ、（Ｃ）望遠端における縦収差図である。
【図１０】本発明の実施例４のズームレンズの広角端で無限遠物体に合焦しているときのレンズ断面図である。
【図１１】実施例４のエクステンダ退避時における物体距離無限遠での（Ａ）広角端、（Ｂ）焦点距離４８２．０９ｍｍ、（Ｃ）望遠端における縦収差図である。
【図１２】実施例４のエクステンダ挿入時における物体距離無限遠での（Ａ）広角端、（Ｂ）焦点距離７２３．１４ｍｍ、（Ｃ）望遠端における縦収差図である。
【図１３】本発明の実施例５のズームレンズの広角端で無限遠物体に合焦しているときのレンズ断面図である。
【図１４】実施例５のエクステンダ退避時における物体距離無限遠での（Ａ）広角端、（Ｂ）焦点距離４８０．００ｍｍ、（Ｃ）望遠端における縦収差図である。
【図１５】実施例５のエクステンダ挿入時における物体距離無限遠での（Ａ）広角端、（Ｂ）焦点距離７１９．２３ｍｍ、（Ｃ）望遠端における縦収差図である。
【図１６】（Ａ）は本発明の原理概略図である。（Ｂ）は従来構造の概略図である。
【図１７】本発明の撮像装置の要部概略図である。
【発明を実施するための形態】
【００１２】
以下、添付した図を参照しながら、本発明のズームレンズの特徴について説明する。
本発明のズームレンズは、物体側から像側へ順に、ズーミングのためには移動しない正の屈折力の第１レンズ群、ズーミングに際して移動する負の第２レンズ群、ズーミングに際して移動する少なくとも１群以上のレンズ群、開口絞りを含む正の屈折力のＲ１レンズ群、光路に挿抜可能なＥＸＴレンズ群、ズーミングのためには移動しないＲ２レンズ群を有している。
【実施例１】
【００１３】
図１は本発明の実施例１のズームレンズの広角端で無限遠物体に合焦時、かつエクステンダ退避時（光路から抜去された時）のレンズ断面図である。
【００１４】
Ｕ１はズーミングのためには移動しない正の屈折力の第１レンズ群である。Ｕ１の一部のレンズ群が無限遠物体から近距離物体にフォーカシングする際に物体側に移動する。Ｕ２は広角端（短焦点距離端）から望遠端（長焦点距離端）へのズーミングに際して像側へ移動する変倍用の負の屈折力の第２レンズ群（バリエーターレンズ群）である。Ｕ３は第２レンズ群Ｕ２に連動して移動し、変倍に伴う像面変動を補正する負の屈折力の第３レンズ群（コンペンセータレンズ群）である。ＵＲ１はズーミングに際して不動の開口絞りＳＰを含み、ズーミングに際して不動の正の屈折力のＲ１レンズ群（前リレーレンズ群）である。ＵＥＸＴは、光路内に挿抜自在でズーミングのためには不動のＥＸＴレンズ群（エクステンダ群）である。ＵＲ２はズーミングに際して不動のＲ２レンズ群（後リレーレンズ群）である。ＩＰは像面であり、固体撮像素子（光電変換素子）の撮像面に相当している。前述した群構成は後述する実施例１、２、３において、同じである。
【００１５】
次に、実施例１の各群のレンズ構成について説明する。以下、各レンズは物体側より像側へ順に配置されているものとする。
【００１６】
第１レンズ群Ｕ１は正レンズ、負レンズ、正レンズ、負レンズ、正レンズ、正レンズ６枚で構成されている。フォーカシングに際して最も像側の２枚の正レンズが移動する。第２レンズ群Ｕ２は負レンズ１枚、負レンズと正レンズの接合レンズ、負レンズ、正レンズで構成されている。第３レンズ群Ｕ３は負レンズと正レンズの接合レンズで構成されている。Ｒ１レンズ群ＵＲ１は正レンズ２枚、開口絞りＳＰ、正レンズと負レンズの接合レンズ、正レンズ、負レンズと正レンズの接合レンズで構成されている。Ｒ２レンズ群ＵＲ２は正レンズ、負レンズと正レンズの接合レンズ２枚で構成されている。ＥＸＴレンズ群ＵＥＸＴは正レンズ、負レンズと正レンズの接合レンズ２枚、負レンズで構成されている。
【００１７】
一般に、ズーミングのためには移動しない正の屈折力の第１レンズ群、ズーミングに際して移動する負の屈折力の第２レンズ群、負の屈折力の第３レンズ群を有するズームレンズの場合、第３レンズ群から出射される光束は発散された状態となる。そのため、増大する光束径を十分に低減するためのＲ１レンズ群を配置しない場合、ＥＸＴレンズ群に入射する軸上光線有効径は大きくなる。結果として、エクステンダレンズ径が大きくなり、エクステンダを収納するスペースが増大することや、レンズ鏡筒が太くなることや、エクステンダの全長の増大により、レンズの小型化が困難であった。本発明のズームレンズはＲ１レンズ群において、発散状態で入射した光束を一度収斂状態にし、光束径を十分に下げた後に略アフォーカルで光線を射出させることにより、エクステンダの小型化を達成し、高変倍比化と小型軽量化を両立させることができる。
【００１８】
本発明の原理について図１７（Ａ）、（Ｂ）を用いて説明する。図１７（Ａ）は本発明のズームレンズの第２群以降の概略構成を示している。図１７（Ｂ）は本発明の利点を説明するために、従来のレンズ装置の構成を示した概略図である。図１７（Ｂ）に示すように、第３レンズ群Ｕ３から発散された状態の光束が出射されるため、光束径を低減するＲ１レンズ群を配置しない従来構成の場合、エクステンダのレンズ有効径は大きくなる。一方、図１７（Ａ）の本発明の構成の場合は、発散状態の光束をＲ１群ＵＲ１内で一度収斂状態にし、十分に光束径を低減した後に、アフォーカルの光束に変換している。
【００１９】
光線有効径の小さい光束に対し、エクステンダを配置することにより、エクステンダ径の増大を抑制し、ズームレンズの高変倍比化と小型軽量化を両立させることが可能となる。
【００２０】
図１７の概略図では、Ｒ１レンズ群の物体側では正の屈折力のレンズ群、像側では負の屈折力のレンズ群が配置した例であるが、発散状態の入射光束を、略アフォーカルかつ入射前よりも光束径を低減するようなパワー配置であれば良く、限定されない。
【００２１】
本発明のズームレンズは、物体側から像側へ順にズーミングのためには移動しない正の屈折力の第１レンズ群、ズーミングに際して移動する負の第２レンズ群、ズーミングに際して移動する少なくとも１群以上のレンズ群、開口絞りを含む正の屈折力を有するＲ１レンズ群、光路に挿抜可能なＥＸＴレンズ群、ズーミングのためには移動しないＲ２レンズ群から構成される。前記Ｒ１レンズ群は、前記第２レンズ群以降から前記ＥＸＴレンズ群までの間で最も大きい有効径のレンズを有し、無限遠合焦時、かつ広角端における前記Ｒ１レンズ群での軸上光線の最大光線高さをｈＲ１、前記ＥＸＴレンズ群における最大光線高さｈＥＸＴとするとき、
１．５０＜ｈＲ１／ｈＥＸＴ＜３．５０      ・・・（１）
を満たし、前記Ｒ１レンズ群に入射する軸上光束は発散光束であることを特徴とするズームレンズである。
【００２２】
なお、本発明の有効径とは、広角端から望遠端まで、無限遠合焦時から至近合焦時までの、軸上光束または最大像高の軸外光束に含まれる光線の中で、各面における最大となる光線高さの２倍と定義する。また、レンズ群における最大光線高さとは、そのレンズ群に含まれる複数のレンズ面を通過する光線の各レンズ面での光線高さの内、最も大きな値を指すものとする。
【００２３】
条件式（１）は、Ｒ１群ＵＲ１内の光線の最大高さとＥＸＴ群ＵＥＸＴ内の光線の最大高さの比を規定している。条件式（１）を満たすことで、全ズーム範囲において高い光学性能を達成するとともに、エクステンダのレンズ径の小型化と高変倍比化の両立が可能となる。条件式（１）の上限を超えると、Ｒ１群ＵＲ１内において個々のレンズの屈折力が大きくなるため、収差補正が困難となる。条件式（１）の下限を超えると、エクステンダ径抑制の効果が低くなるため、レンズ鏡筒の大型化を招く。
【００２４】
更に好ましくは、条件式（１）を次の如く設定するのが良い。
１．８０＜ｈＲ１／ｈＥＸＴ＜３．１０      ・・・（１ａ）
条件式（１）を満たすことにより、本発明の各実施例では、内蔵エクステンダ付・大判カメラ用ズームレンズでありながら、高変倍比、エクステンダの小型軽量化を実現するとともに、広角端から望遠端までの全ズーム範囲において高い光学性能を達成できる。
【００２５】
本発明の更なる実施態様として、条件式（２）により、Ｒ１レンズ群の焦点距離（無限遠合焦かつ広角端におけるＲ１レンズ群の焦点距離）ｆＲ１と、ＥＸＴレンズ群退避時のＲ１レンズ群とＲ２レンズ群の合成焦点距離（ＥＸＴレンズ群が退避した場合かつ無限遠合焦かつ広角端における、Ｒ１レンズ群とＲ２レンズ群との合成焦点距離）ｆＲの比を規定している。
０．２５＜ｆＲ１／ｆＲ＜０．９０          ・・・（２）
【００２６】
条件式（２）を満たすことで、全ズーム範囲において高い光学性能を達成するとともに、全ズーム範囲において高い光学性能を達成するとともに、エクステンダのレンズ径の小型化とリレー全長の短縮の両立が可能となる。条件式（２）の上限を超えると、Ｒ１レンズ群の屈折力が弱くなりすぎ、エクステンダの小型化が困難となる。条件式（２）の下限を超えると、Ｒ１レンズ群の屈折力が強くなりすぎ、収差補正が困難となる。更に好ましくは、条件式（２）を次の如く設定するのが良い。
０．３４＜ｆＲ１／ｆＲ＜０．７６          ・・・（２ａ）
【００２７】
本発明の更なる実施態様として、条件式（３）によりＲ１レンズ群の焦点距離（無限遠合焦かつ広角端におけるＲ１レンズ群の焦点距離）ｆＲ１とＲ２レンズ群の焦点距離ｆＲ２との比を規定している。
０．２０＜ｆＲ１／ｆＲ２＜０．５０        ・・・（３）
【００２８】
条件式（３）を満たすことで、全ズーム範囲において高い光学性能を達成するとともに、エクステンダのレンズ径の小型化が可能となる。条件式（３）の上限を超えると、Ｒ１レンズ群の屈折力が弱くなりすぎ、エクステンダの小型化が困難となる。条件式（３）の下限を超えると、Ｒ１レンズ群の屈折力が強くなりすぎ、収差補正が困難となる。更に好ましくは、条件式（３）を次の如く設定するのが良い。
０．２７＜ｆＲ１／ｆＲ２＜０．４０        ・・・（３ａ）
【００２９】
本発明の更なる実施態様として、Ｒ１レンズ群に正の屈折力を有するレンズと負の屈折力を有するレンズの接合レンズを少なくとも１枚有することが望ましい。個々のレンズの屈折力が大きいＲ１レンズ群において色消しが不十分である場合、優れた光学性能の達成が困難となる。好ましくは、正の屈折力を有するレンズと負の屈折力を有するレンズの接合レンズを２枚有することが良い。
【００３０】
本発明の更なる実施態様として、ＥＸＴレンズ群に正の屈折力を有するレンズと負の屈折力を有するレンズの接合レンズを少なくとも１枚有することが望ましい。ＥＸＴレンズ群において色消しが不十分である場合、エクステンダ挿入時に色収差が発生してしまい、結果として優れた光学性能の達成が困難となる。好ましくは、正の屈折力を有するレンズと負の屈折力を有するレンズの接合レンズを２枚有することが良い。
【００３１】
本発明の更なる実施態様として、条件式（４）により、ＥＸＴレンズ群退避時のイメージサークルの直径φとＥＸＴレンズ群内の最も大きい有効径Ｄの比を規定している。
０．２０＜Ｄ／φ＜１．２０                ・・・（４）
【００３２】
ただし、イメージサークルの直径φはエクステンダ退避時、広角端かつ無限遠合焦時における焦点距離をｆｗ、半画角をωとするときに、以下の式で規定される。
φ＝２×ｆｗ×ｔａｎω
【００３３】
条件式（４）を満たすことで、全ズーム範囲において高い光学性能を達成するとともに、エクステンダのレンズ径の小型化と高変倍比化の両立が可能となる。条件式（４）の上限を超えると、ＥＸＴレンズ群のレンズ径が大きくなりすぎ、エクステンダの小型化が困難となる。条件式（４）の下限を超えると、Ｒ１レンズ群ＵＲ１内において個々のレンズの屈折力が大きくなるため、収差補正が困難となる。更に好ましくは、条件式（４）を次の如く設定するのが良い。
０．４５＜Ｄ／φ＜１．００                ・・・（４ａ）
【００３４】
本発明の更なる実施態様として、条件式（５）により、Ｒ１レンズ群の最も物体側の面から最も像側の面までの距離ＬＲ１、第１レンズ群の最も物体側の面から像面までの距離Ｌｔｏｔａｌの比を規定している。
０．１０＜ＬＲ１／Ｌｔｏｔａｌ＜０．３０  ・・・（５）
【００３５】
条件式（５）を満たすことで、全ズーム範囲において高い光学性能を達成するとともに、エクステンダのレンズ径の小型化と高変倍比化の両立が可能となる。条件式（５）の上限を超えると、Ｒ１レンズ群の全長が長くなりすぎ、ズームレンズの全長の増大もしくは変倍部の全長減少による変倍比の低下をもたらす。条件式（５）の下限を超えると、Ｒ１レンズ群ＵＲ１内において個々のレンズの屈折力が大きくなるため、収差補正が困難となる。更に好ましくは、条件式（５）を次の如く設定するのが良い。
０．１１＜ＬＲ１／Ｌｔｏｔａｌ＜０．２０  ・・・（５ａ）
【００３６】
本発明の更なる実施態様として、Ｒ１レンズ群ＵＲ１に少なくとも１面の非球面を有することが望ましい。広角端では、入射した光束はＲ１レンズ群ＵＲ１に入射するときに最も広がるため、球面収差補正が最も重要となる。個々のレンズの屈折力が大きいＲ１レンズ群ＵＲ１内に非球面を配置することにより、球面収差補正が有利となる。
【００３７】
本発明の更なる実施態様として、条件式（６）により、無限遠合焦時かつ広角端におけるＲ１レンズ群とＲ２レンズ群の合成横倍率（ＥＸＴレンズ群が退避した場合かつ無限遠合焦かつ広角端における、Ｒ１レンズ群とＲ２レンズ群との合成横倍率）βＲを規定している。
−３．０＜βＲ＜−１．８                  ・・・（６）
【００３８】
条件式（６）を満たすことで、ズームレンズ全長を抑制し、ズームレンズの収差変動を良好に補正するとともに、高変倍比と小型軽量の両立が可能となる。条件式（６）の上限を超えると、Ｒ１レンズ群とＲ２レンズ群の合成の横倍率が小さくなり、高変倍比を達成できない。また、高い変倍比を維持しようとすると、ズーム全長が長くなり、レンズの小型化の達成が困難となる。条件式（６）の下限を超えると、Ｒ１レンズ群よりも物体側に配置されたレンズ群の収差の拡大率が増大し、収差補正が困難となる。更に好ましくは、条件式（６）を次の如く設定するのが良い。
−２．６＜βＲ＜−２．０                  ・・・（６ａ）
【００３９】
本発明の更なる実施態様として、条件式（７）により第１レンズ群の焦点距離ｆ１と第２レンズ群の焦点距離ｆ２の比を規定している。
−１０．００＜ｆ１／ｆ２＜−２．５０      ・・・（７）
【００４０】
条件式（７）を満たすことで、軸上色収差を良好に補正しながら変倍に伴う第２レンズ群の移動量を低減し、高倍率化を達成しながらレンズ全長を短縮している。条件式（７）の上限を超えると、第２レンズ群の焦点距離が相対的に短くなるため、小型化には有利であるが、変倍に伴う収差変動が増大する。条件式（７）の下限を超えると、第２レンズ群の焦点距離が相対的に長くなるため、変倍による第２レンズ群の移動量が増大して全系が大型化し、小型軽量化が困難となる。更に好ましくは、条件式（７）を次の如く設定するのが良い。
−８．００＜ｆ１／ｆ２＜−４．５０        ・・・（７ａ）
【００４１】
図２に、実施例１の物体距離無限遠でエクステンダ退避時の（Ａ）広角端、（Ｂ）焦点距離４８４．２０ｍｍ、（Ｃ）望遠端における縦収差図を示す。但し、焦点距離の値は、後述する数値実施例をｍｍ単位で表したときの値である。図３に、実施例１の物体距離無限遠でのエクステンダ挿入時の（Ａ）広角端、（Ｂ）焦点距離７２６．３０ｍｍ、（Ｃ）望遠端における縦収差図を示す。エクステンダ退避時の収差図は、球面収差は０．５ｍｍ、非点収差は０．５ｍｍ、歪曲は５％、倍率色収差は０．０５ｍｍのスケールで描かれている。エクステンダ挿入時の収差図は、球面収差は１．００ｍｍ、非点収差は１．００ｍｍ、歪曲は５％、倍率色収差は０．１００ｍｍのスケールで描かれている。ＦｎｏはＦナンバー、ωは半画角である。尚、広角端と望遠端は変倍用の第２レンズ群Ｕ２が機構上光軸上を移動可能な範囲の両端に位置したときのズーム位置をいう。これらは以下の各実施例において、全て同じである。
【００４２】
実施例１はズーム比１８．０倍、広角端の半画角１８．２度、望遠端の半画角１．０５度、最大像高が１４．８ｍｍ、エクステンダ倍率１．５倍のズームレンズである。
【００４３】
実施例１に対応する数値実施例１の数値データを下記の（数値実施例１）に示す。ｒは物体側より各面の曲率半径、ｄは各面の間隔、ｎｄとνｄは各光学部材の屈折率とアッベ数である。
【００４４】
非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２、Ａ１４、Ａ１６を各々非球面係数としたとし次式で表す。
【００４５】
【数１】
0006393109.tif 000002
又、例えば「ｅ−Ｚ」は「×１０-Z」を意味する。＊印は非球面であることを示している。
【００４６】
表１に数値実施例１の各条件式の対応値を示す。
数値実施例１は条件式（１）〜（７）の何れの条件式も満足しており、大判カメラ用ズームレンズでありながら、高変倍比、小型軽量、特にエクステンダの小型軽量化を実現し、広角端から望遠端までの全ズーム範囲において高い光学性能を達成している。
【実施例２】
【００４７】
図４は、実施例２のズームレンズの広角端で無限遠物体に合焦時、かつエクステンダ退避時のレンズ断面図である。
【００４８】
実施例２では第２レンズ群Ｕ２、第３レンズ群Ｕ３、Ｒ１レンズ群ＵＲ１、Ｒ２レンズ群ＵＲ２のレンズ構成は実施例１と同じである。第１レンズ群Ｕ１はフォーカシングのためには不動の正レンズ、正レンズと負レンズの接合レンズ、およびフォーカシングに際して移動する正レンズと正レンズと負レンズの接合レンズ、およびフォーカシングのためには不動の正レンズと負レンズの接合レンズで構成される。エクステンダレンズ群ＵＥＸＴは正レンズ、正レンズと負レンズの接合レンズ、正レンズと負レンズの接合レンズ、負レンズと正レンズの接合レンズ、負レンズで構成される。
【００４９】
図５に、実施例２の物体距離無限遠でエクステンダ退避時の（Ａ）広角端、（Ｂ）焦点距離５７５．００ｍｍ、（Ｃ）望遠端における縦収差図を示す。図６に、実施例２の物体距離無限遠でのエクステンダ挿入時の（Ａ）広角端、（Ｂ）焦点距離１０３５．００ｍｍ、（Ｃ）望遠端における縦収差図を示す。
【００５０】
実施例２はズーム比１９．４倍、広角端の半画角１６．５度、望遠端の半画角０．８７度、最大像高が１４．８ｍｍ、エクステンダ倍率１．８倍のズームレンズである。
実施例２に対応する数値実施例２の数値データを下記の（数値実施例２）に示す。
【００５１】
表１に数値実施例２の各条件式の対応値を示す。
数値実施例２は条件式（１）〜（７）の何れの条件式も満足しており、大判カメラ用ズームレンズでありながら、高変倍比、小型軽量、特にエクステンダの小型軽量化を実現し、広角端から望遠端までの全ズーム範囲において高い光学性能を達成している。
【実施例３】
【００５２】
図７は、実施例３のズームレンズの広角端で無限遠物体に合焦時、かつエクステンダ退避時のレンズ断面図である。
【００５３】
実施例３では第１レンズ群Ｕ１、第２レンズ群Ｕ２、第３レンズ群Ｕ３、Ｒ２レンズ群ＵＲ２、ＥＸＴレンズ群ＵＥＸＴのレンズ構成は実施例１と全て同じである。Ｒ１レンズ群ＵＲ１は正レンズ、正レンズ、開口絞りＳＰ、正レンズと負レンズの接合レンズ、正レンズ、正レンズと負レンズの接合レンズで構成されている。
【００５４】
図８に、実施例３の物体距離無限遠でエクステンダ退避時の（Ａ）広角端、（Ｂ）焦点距離４８４．２０ｍｍ、（Ｃ）望遠端における縦収差図を示す。図９に、実施例３の物体距離無限遠でのエクステンダ挿入時の（Ａ）広角端、（Ｂ）焦点距離７２６．３０ｍｍ、（Ｃ）望遠端における縦収差図を示す。
【００５５】
実施例３はズーム比１８．０倍、広角端の半画角１８．２度、望遠端の半画角１．０５度、最大像高が１４．８ｍｍ、エクステンダ倍率１．５倍のズームレンズである。
実施例３に対応する数値実施例３の数値データを下記の（数値実施例３）に示す。
【００５６】
表１に数値実施例３の各条件式の対応値を示す。
数値実施例３は条件式（１）〜（７）の何れの条件式も満足しており、大判カメラ用ズームレンズでありながら、高変倍比、小型軽量、特にエクステンダの小型軽量化を実現し、広角端から望遠端までの全ズーム範囲において高い光学性能を達成している。
【実施例４】
【００５７】
図１０は、実施例４のズームレンズの広角端で無限遠物体に合焦時、かつエクステンダ退避時のレンズ断面図である。
【００５８】
実施例４では第１レンズ群Ｕ１、第２レンズ群Ｕ２、第３レンズ群Ｕ３、Ｒ２レンズ群ＵＲ２、ＥＸＴレンズ群ＵＥＸＴのレンズ構成は実施例１と全て同じであるが、ＵＲ１の一部はズーミングに際して可動であることが実施例１乃至３とは異なる。Ｒ１レンズ群ＵＲ１は、ズーミングに際して移動するＲ１Ａレンズ群ＵＲ１Ａ、ズーミングのためには移動しないＲ１Ｂレンズ群ＵＲ１Ｂの二つの群に分けられる。Ｒ１Ａレンズ群ＵＲ１Ａ２枚の正レンズで構成される。Ｒ１Ｂレンズ群ＵＲ１Ｂは、開口絞りＳＰ、正レンズと負レンズの接合レンズ、正レンズ、正レンズと負レンズの接合レンズで構成される。
【００５９】
図１１に、実施例４の物体距離無限遠でエクステンダ退避時の（Ａ）広角端、（Ｂ）焦点距離４８２．０９ｍｍ、（Ｃ）望遠端における縦収差図を示す。図１２に、実施例４の物体距離無限遠でのエクステンダ挿入時の（Ａ）広角端、（Ｂ）焦点距離７２３．１４ｍｍ、（Ｃ）望遠端における縦収差図を示す。
【００６０】
実施例４はズーム比１８．０倍、広角端の半画角１８．２度、望遠端の半画角１．０５度、最大像高が１４．８ｍｍ、エクステンダ倍率１．５倍のズームレンズである。
実施例４に対応する数値実施例４の数値データを下記の（数値実施例４）に示す。
【００６１】
表１に数値実施例４の各条件式の対応値を示す。
数値実施例４は条件式（１）〜（７）の何れの条件式も満足しており、大判カメラ用ズームレンズでありながら、高変倍比、小型軽量、特にエクステンダの小型軽量化を実現し、広角端から望遠端までの全ズーム範囲において高い光学性能を達成している。
【実施例５】
【００６２】
図１３は、実施例５のズームレンズの広角端で無限遠物体に合焦時、かつエクステンダ退避時のレンズ断面図である。
【００６３】
実施例５では第１レンズ群Ｕ１、Ｒ１レンズ群ＵＲ１、Ｒ２レンズ群ＵＲ２、ＥＸＴレンズ群ＵＥＸＴのレンズ構成は実施例１と全て同じである。ズーミング時には第２レンズ群Ｕ２、第３レンズ群Ｕ３に加えて、第４レンズ群Ｕ４を含めた３つの群が駆動することが実施例１乃至４とは異なる。
【００６４】
第２レンズ群Ｕ２は負レンズ、負レンズと正レンズの接合レンズで構成されている。第３レンズ群Ｕ３は負レンズと正レンズで構成されている。第４レンズ群Ｕ４は負レンズと正レンズの接合レンズで構成されている。
【００６５】
図１４に、実施例５の物体距離無限遠でエクステンダ退避時の（Ａ）広角端、（Ｂ）焦点距離４８０．００ｍｍ、（Ｃ）望遠端における縦収差図を示す。図１５に、実施例５の物体距離無限遠でのエクステンダ挿入時の（Ａ）広角端、（Ｂ）焦点距離７１９．２３ｍｍ、（Ｃ）望遠端における縦収差図を示す。
【００６６】
実施例５はズーム比１８．５倍、広角端の半画角１８．６度、望遠端の半画角１．０４度、最大像高が１４．８ｍｍ、エクステンダ倍率１．５倍のズームレンズである。
実施例５に対応する数値実施例５の数値データを下記の（数値実施例５）に示す。
【００６７】
表１に数値実施例５の各条件式の対応値を示す。
数値実施例５は条件式（１）〜（７）の何れの条件式も満足しており、大判カメラ用ズームレンズでありながら、高変倍比、小型軽量、特にエクステンダの小型軽量化を実現し、広角端から望遠端までの全ズーム範囲において高い光学性能を達成している。
【００６８】
（撮像装置）
図１６は、本発明の実施例１乃至５のいずれかのズームレンズを撮影光学系として用いた撮像装置（テレビカメラシステム）の要部概略図である。図１６において１０１は実施例１〜５のいずれかのズームレンズである。１２４はカメラである。ズームレンズ１０１はカメラ１２４に対して着脱可能となっている。１２５はカメラ１２４にズームレンズ１０１を装着することで構成される撮像装置である、ズームレンズ１０１は第１レンズ群Ｆ、変倍部ＬＺ、結像用のＲレンズ群Ｒを有している。第１レンズ群Ｆはフォーカシングに際して移動するレンズ群が含まれている。
【００６９】
変倍部ＬＺはズーミングに際して移動する少なくとも２群以上のレンズ群が含まれている。変倍部ＬＺより像側にはＲ１レンズ群Ｒ１、開口絞りＳＰ、Ｒ２レンズ群Ｒ２が配置され、光路中より挿抜可能なレンズユニットＩＥを有している。レンズユニットＩＥを切り替えることで、ズームレンズ１０１の全系の焦点距離範囲を変位している。１１４、１１５は各々第１群Ｆ、変倍部のＬＺを光軸方向に駆動するヘリコイドやカム等の駆動機構である。１１６〜１１８は駆動機構１１４、１１５および開口絞りＳＰを電気駆動するモータ（駆動手段）である。
【００７０】
１１９〜１２１は、第１レンズ群Ｆや変倍部ＬＺの光軸上の位置や、開口絞りＳＰの絞り径を検出するためのエンコーダやポテンショメータ、あるいはフォトセンサなどの検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサなどの固体撮像素子（光電変換素子）である。また、１１１、１２２はカメラ１２４及びズームレンズ１０１の各種の駆動を制御するＣＰＵである。
【００７１】
このように本発明のズームレンズをテレビカメラに適用することにより、高い光学性能を有する撮像装置を実現している。
以上、本発明の好ましい実施形態について説明したが、本発明はこれらの実施形態に限定されず、その要旨の範囲内で種々の変形及び変更が可能である。
【００７２】
（数値実施例１）
＜エクステンダ退避時＞
単位 mm
面データ
面番号       r        d      nd         vd       有効径
1        156.943   16.06   1.48749    70.2      124.20
2      -7723.214    1.00                        122.81
3        163.335    3.40   1.72916    54.7      115.66
4        103.989    6.28                        110.47
5        122.934   20.72   1.43387    95.1      109.95
6       -321.067    1.50                        108.69
7       -263.298    3.20   1.72916    54.7      108.30
8        217.243   15.52                        104.78
9        156.032   16.10   1.43387    95.1      104.06
10       -326.845    0.20                        103.33
11        139.502    6.99   1.43387    95.1       96.83
12        228.876  (可変)                         94.95
13*     -7969.421    1.20   1.77250    49.6       32.58
14         29.889    6.85                         29.43
15       -111.689    1.00   1.61800    63.3       28.84
16         30.301    7.75   1.72047    34.7       28.43
17        -67.863    3.09                         28.06
18        -33.691    1.00   1.61800    63.3       27.07
19        381.196    0.20                         27.13
20         90.508    2.66   1.54814    45.8       27.46
21       8908.115  (可変)                         27.76
22        -69.142    1.00   1.72916    54.7       38.17
23        168.092    3.44   1.84666    23.8       39.92
24       -968.105  (可変)                         40.57
25        124.414    6.23   1.59349    67.0       42.31
26*       -90.292    1.00                         42.73
27         47.974    8.90   1.61800    63.3       43.48
28       -142.425    9.03                         42.80
29(絞り)    ∞       2.00                         34.50
30        149.282    7.23   1.43875    94.9       32.26
31        -33.347    1.20   2.00330    28.3       30.70
32        550.266    7.00                         30.26
33         95.056    6.82   1.56732    42.8       29.35
34        -41.261    8.41                         28.78
35        -59.813    1.20   2.00100    29.1       20.35
36         16.226    6.85   1.84666    23.8       19.31
37        137.335   40.00                         18.93
38         54.392    6.91   1.48749    70.2       29.06
39        -37.581    3.00                         29.08
40       -131.675    1.00   1.83481    42.7       26.88
41         51.853    5.11   1.72825    28.5       26.44
42        -63.455    2.32                         26.23
43        -31.243    1.00   1.88300    40.8       25.76
44        604.843    4.42   1.64769    33.8       26.43
45        -62.626   52.00                         27.00
像面        ∞   
非球面データ
第13面
K = 2.16213e+005  A 4= 2.41572e-006  A 6= 1.80376e-010  A 8=-2.94520e-012  A10=-7.62036e-014  A12= 7.98769e-016  A14=-2.83869e-018  A16= 3.65020e-021  
第26面
K =-3.17969e-001  A 4= 7.05385e-007  A 6= 3.09137e-010  A 8=-1.06097e-012  A10= 3.24166e-015  A12=-2.22180e-018  A14=-4.33681e-021  A16= 6.21800e-024  
各種データ
ズーム比     18.00 
広角     中間     望遠
焦点距離      45.00   484.20   810.00  
Fナンバー      4.50     4.50     6.91  
画角          18.21     1.75     1.05  
像高          14.80    14.80    14.80  
レンズ全長   450.00   450.00   450.00  
BF            52.00    52.00    52.00  
d12           10.00   125.38   134.86  
d21          138.23     5.71    10.13  
d24            1.00    18.14     4.24  
入射瞳位置   161.96  1489.05  2289.81  
射出瞳位置  -120.99  -120.99  -120.99  
前側主点位置 195.25   617.99  -692.85  
後側主点位置   7.00  -432.20  -758.00  
ズームレンズ群データ
群  始面    焦点距離  レンズ構成長  前側主点位置  後側主点位置
1    1     216.70        90.96        36.26        -40.64
2   13     -30.00        23.75         3.25        -13.81
3   22    -111.70         4.44        -0.29         -2.73
4   25      35.34        65.87       -34.11        -42.33
5   38     108.91        23.75        -8.06        -23.32
【００７３】
＜エクステンダ挿入時＞
単位 mm
面データ
面番号       r        d      nd         vd       有効径
37        137.335    5.00                         18.93
IE38       20.302    3.42   1.43875    94.9       18.50
IE39       49.182    5.00                         17.81
IE40      229.622    0.80   2.00100    29.1       16.36
IE41       19.366    4.51   1.67300    38.1       15.88
IE42      -84.222    4.49                         15.72
IE43      439.262    0.80   1.59522    67.7       15.85
IE44       13.392    6.58   1.63980    34.5       15.88
IE45      -38.945    3.60                         15.77
IE46      -26.363    0.80   1.77250    49.6       14.65
IE47       56.797    5.00                         14.81
48         54.392    6.91   1.48749    70.2       29.06
49        -37.581    3.00                         29.08
50       -131.675    1.00   1.83481    42.7       26.88
51         51.853    5.11   1.72825    28.5       26.44
52        -63.455    2.32                         26.23
53        -31.243    1.00   1.88300    40.8       25.76
54        604.843    4.42   1.64769    33.8       26.43
55        -62.626   52.00                         27.00
像面        ∞   
各種データ
ズーム比     18.00 
広角     中間     望遠
焦点距離      67.50   726.30  1215.00  
Fナンバー      6.75     6.75    10.37  
画角          12.37     1.17     0.70  
像高          14.80    14.80    14.80  
レンズ全長   450.00   450.00   450.00  
BF            52.00    52.00    52.00  
入射瞳位置   161.96   1489.05    2289.81  
射出瞳位置   -48.44    -48.44     -48.44  
前側主点位置 184.10  -3036.46  -11192.22  
後側主点位置 -15.50   -674.30   -1163.00  
ズームレンズ群データ
群  始面    焦点距離  レンズ構成長  前側主点位置  後側主点位置
1    1     216.70        90.96        36.26        -40.64
2   13     -30.00        23.75         3.25        -13.81
3   22    -111.70         4.44        -0.29         -2.73
4   25      35.34        65.87       -34.11        -42.33
5   38    -292.96        30.00       173.53         94.70
6   48     108.91        23.75        -8.06        -23.32
【００７４】
（数値実施例２）
＜エクステンダ退避時＞
単位 mm
面データ
面番号       r        d      nd         vd       有効径
1        429.871   10.91   1.48749    70.2      126.34
2       -617.412    0.20                        125.51
3        174.106   19.54   1.43875    94.9      118.28
4       -310.406    4.00   1.72047    34.7      116.27
5        826.022   17.40                        113.43
6        417.769    8.72   1.43387    95.1      108.37
7       -868.155    0.20                        106.56
8        182.863   10.27   1.43875    94.9      101.49
9     -15342.219    2.50   1.74950    35.3       99.91
10        719.803    3.00                         98.09
11       1264.541    9.83   1.85478    24.8       96.59
12       -218.233    2.20   1.74950    35.3       95.20
13        303.152  (可変)                         90.46
14*       246.786    1.20   1.77250    49.6       34.19
15         30.480    6.47                         30.97
16       -127.625    1.00   1.59522    67.7       30.54
17         35.867    6.76   1.72047    34.7       29.97
18       -144.731    2.72                         29.52
19        -38.152    1.00   1.59522    67.7       29.27
20        165.346    0.20                         29.48
21         91.722    2.81   1.72047    34.7       29.62
22       -993.437  (可変)                         29.57
23        -71.785    1.00   1.72916    54.7       35.49
24        121.958    2.95   1.85478    24.8       37.01
25     -25895.241  (可変)                         37.44
26        126.975    6.22   1.60311    60.6       43.45
27*       -98.810    1.00                         43.83
28         55.119    9.10   1.48749    70.2       44.27
29       -114.346    3.00                         43.69
30(絞り)    ∞       4.00                         40.67
31         69.738    8.39   1.43875    94.9       36.85
32        -45.372    1.20   1.88300    40.8       35.53
33         63.388    0.24                         34.10
34         34.273    8.85   1.58913    61.1       34.39
35       -120.734    5.00                         33.32
36        195.662    1.20   2.00100    29.1       28.15
37         16.949    6.28   1.80518    25.4       25.32
38         50.791   40.00                         24.73
39         42.151    7.50   1.51633    64.1       30.82
40        -58.123   11.18                         30.42
41        -39.106    1.00   1.88300    40.8       24.17
42         21.042   10.31   1.72825    28.5       24.41
43        -30.589    2.14                         25.05
44        -20.311    1.00   1.95375    32.3       24.82
45       -162.986   11.03   1.51742    52.4       27.36
46        -20.691   52.45                         30.57
像面        ∞   
非球面データ
第14面
K =-7.58303e+000  A 4= 1.12888e-006  A 6= 6.90844e-010  A 8=-1.78006e-011  A10= 1.69108e-013  A12=-8.74521e-016  A14= 2.30851e-018  A16=-2.41264e-021  
第27面
K =-1.96840e+000  A 4= 3.57012e-007  A 6=-2.32291e-011  A 8= 4.17159e-014  
各種データ
ズーム比     19.40 
広角     中間     望遠
焦点距離      50.00   575.00   970.00  
Fナンバー      4.50     4.74     8.00  
画角          16.49     1.47     0.87  
像高          14.80    14.80    14.80  
レンズ全長   450.00   450.00   450.00  
BF            52.45    52.45    52.45  
d13            4.00   120.64   129.64  
d22          130.67     2.65    12.39  
d25            9.36    20.74     2.00  
入射瞳位置   162.15  1642.31   2466.48  
射出瞳位置  -141.77  -141.77   -141.77  
前側主点位置 199.27   514.93  -1408.17  
後側主点位置   2.45  -522.55   -917.55  
ズームレンズ群データ
群  始面    焦点距離  レンズ構成長  前側主点位置  後側主点位置
1    1     230.00        88.77         4.69        -58.71
2   14     -32.50        22.16         3.59        -12.40
3   23    -110.00         3.95        -0.08         -2.24
4   26      45.99        54.49       -25.25        -38.94
5   39     166.16        44.16         7.50        -36.46
【００７５】
＜エクステンダ挿入時＞
単位 mm
面データ
面番号       r        d      nd         vd       有効径
38         50.791    4.00                         24.73
IE39       18.129    6.35   1.43875    94.9       24.03
IE40      182.852    7.80                         22.82
IE41       90.785    2.20   1.69895    30.1       16.71
IE42      -56.422    0.80   2.00100    29.1       16.06
IE43       24.759    1.00                         15.07
IE44       38.449    4.35   1.59270    35.3       14.99
IE45      -17.509    0.80   2.00100    29.1       14.50
IE46      -28.048    1.00                         14.51
IE47      -34.833    0.80   1.59522    67.7       13.78
IE48        9.904    6.59   1.62588    35.7       13.04
IE49      -19.808    1.00                         12.36
IE50      -14.822    0.80   1.81600    46.6       11.64
IE51     -617.226    2.50                         11.60
52         42.151    7.50   1.51633    64.1       30.82
53        -58.123   11.18                         30.42
54        -39.106    1.00   1.88300    40.8       24.17
55         21.042   10.31   1.72825    28.5       24.41
56        -30.589    2.14                         25.05
57        -20.311    1.00   1.95375    32.3       24.82
58       -162.986   11.03   1.51742    52.4       27.36
59        -20.691   52.45                         30.57
像面        ∞   
各種データ
ズーム比     19.40 
広角     中間     望遠
焦点距離      90.00  1035.00  1746.00  
Fナンバー      8.10     8.54    14.40  
画角           9.34     0.82     0.49  
像高          14.80    14.80    14.80  
レンズ全長   450.00   450.00   450.00  
BF            52.45    52.45    52.45  
入射瞳位置   162.15   1642.31    2466.48  
射出瞳位置   -72.39    -72.39     -72.39  
前側主点位置 187.26  -5903.61  -20207.28  
後側主点位置 -37.55   -982.55   -1693.55  
ズームレンズ群データ
群  始面    焦点距離  レンズ構成長  前側主点位置  後側主点位置
1    1     230.00        88.77         4.69        -58.71
2   14     -32.50        22.16         3.59        -12.40
3   23    -110.00         3.95        -0.08         -2.24
4   26      45.99        54.49       -25.25        -38.94
5   39    -167.20        33.50       160.40         67.45
6   52     166.16        44.16         7.50        -36.46 
【００７６】
（数値実施例３）
＜エクステンダ退避時＞
単位 mm
面データ
面番号       r        d      nd         vd       有効径
1        140.316   16.95   1.48749    70.2      122.94
2       1669.174    1.00                        121.58
3        165.445    3.40   1.72916    54.7      116.41
4        103.648    7.66                        111.04
5        134.785   20.83   1.43387    95.1      110.51
6       -258.064    1.94                        109.34
7       -230.599    3.20   1.72916    54.7      108.26
8        257.163   17.33                        105.17
9        174.177   15.72   1.43387    95.1      104.16
10       -321.193    0.20                        103.37
11        155.960    6.99   1.43387    95.1       97.52
12        312.231  (可変)                         95.99
13*     -2514.893    1.20   1.77250    49.6       33.28
14         30.849    7.04                         30.19
15       -104.691    1.00   1.61800    63.3       29.70
16         34.356    7.62   1.72047    34.7       29.50
17        -69.194    2.80                         29.25
18        -38.820    1.00   1.61800    63.3       28.42
19        210.008    0.20                         28.49
20         78.653    2.95   1.54814    45.8       28.60
21      -2804.249  (可変)                         28.50
22        -74.249    1.00   1.72916    54.7       37.09
23        159.135    3.33   1.84666    23.8       38.57
24      -1624.029  (可変)                         39.16
25        228.538    5.69   1.59349    67.0       40.94
26*       -75.363    1.00                         41.44
27         41.857    9.94   1.61800    63.3       42.42
28       -192.664   12.00                         41.27
29(絞り)    ∞       2.00                         30.84
30        119.418    6.96   1.43875    94.9       28.57
31        -28.098    1.20   2.00330    28.3       26.93
32        362.697    5.34                         26.56
33         73.276    8.32   1.51742    52.4       26.05
34        -33.315    5.81                         25.23
35         84.087    7.00   1.80809    22.8       18.17
36        -17.704    1.50   2.00100    29.1       15.70
37         22.123   31.00                         14.10
38         99.637    7.26   1.48749    70.2       27.37
39        -26.927    1.00                         27.86
40        -77.260    1.00   1.83481    42.7       26.74
41         49.946    5.72   1.72825    28.5       26.74
42        -48.611    3.09                         26.81
43        -23.621    1.00   1.91082    35.3       26.46
44       -137.257    7.11   1.64769    33.8       28.37
45        -27.641   44.00                         30.02
像面        ∞   
非球面データ
第13面
K = 2.04193e+004  A 4= 1.81875e-006  A 6= 6.58814e-010  A 8=-5.04808e-012  A10=-4.27883e-014  A12= 6.70690e-016  A14=-2.80293e-018  A16= 4.06863e-021  
第26面
K =-1.36919e+000  A 4= 3.61976e-007  A 6= 2.82584e-010  A 8=-1.25962e-012  A10= 3.98178e-015  A12=-8.07183e-019  A14=-1.35342e-020  A16= 1.69753e-023  
各種データ
ズーム比     18.00 
広角     中間     望遠
焦点距離      45.00   484.20   810.00  
Fナンバー      4.50     4.50     6.88  
画角          18.21     1.75     1.05  
像高          14.80    14.80    14.80  
レンズ全長   440.00   440.00   440.00  
BF            44.00    44.00    44.00  
d12            6.44   125.77   135.44  
d21          139.92     5.29    11.78  
d24            2.35    17.66     1.50  
入射瞳位置   161.90  1505.77  2352.66  
射出瞳位置  -227.97  -227.97  -227.97  
前側主点位置 199.46  1127.93   750.27  
後側主点位置  -1.00  -440.20  -766.00  
ズームレンズ群データ
群  始面    焦点距離  レンズ構成長  前側主点位置  後側主点位置
1    1     218.91        95.22        41.47        -41.01
2   13     -32.49        23.80         2.54        -14.89
3   22    -116.96         4.33        -0.20         -2.57
4   25      28.70        66.77       -45.98        -34.76
5   38      72.80        26.17        10.46         -9.29
【００７７】
＜エクステンダ挿入時＞
単位 mm
面データ
面番号       r        d      nd         vd       有効径
37         22.102    3.00                         14.10
IE38       12.867    2.62   1.43875    94.9       13.91
IE39       28.004    2.44                         13.34
IE40       69.954    0.80   1.72916    54.7       12.63
IE41        9.773    4.90   1.48749    70.2       11.89
IE42      -37.602    5.83                         11.64
IE43      -21.446    0.80   1.49700    81.5       11.09
IE44       14.320    4.93   1.58144    40.8       11.78
IE45      -15.449    1.51                         12.21
IE46      -16.489    0.80   1.72916    54.7       11.84
IE47       78.647    3.36                         12.26
48         99.637    7.26   1.48749    70.2       27.37
49        -26.927    1.00                         27.86
50        -77.260    1.00   1.83481    42.7       26.74
51         49.946    5.72   1.72825    28.5       26.74
52        -48.611    3.09                         26.81
53        -23.621    1.00   1.91082    35.3       26.46
54       -137.257    7.11   1.64769    33.8       28.37
55        -27.641   44.00                         30.02
像面        ∞   
各種データ
ズーム比     18.00 
広角     中間     望遠
焦点距離      67.50   726.30  1215.00  
Fナンバー      6.75     6.75    10.32  
画角          12.37     1.17     0.70  
像高          14.80    14.80    14.80  
レンズ全長   440.00   440.00   440.00  
BF            44.00    44.00    44.00  
d12            6.44   125.77   135.44  
d21          139.92     5.29    11.78  
d24            2.35    17.66     1.50  
入射瞳位置   161.90   1505.77   2352.66  
射出瞳位置   -69.12    -69.12    -69.12  
前側主点位置 189.12  -2431.17  -9482.28  
後側主点位置 -23.50   -682.30  -1171.00  
ズームレンズ群データ
群  始面    焦点距離  レンズ構成長  前側主点位置  後側主点位置
1    1     218.91        95.22        41.47        -41.01
2   13     -32.49        23.80         2.54        -14.89
3   22    -116.96         4.33        -0.20         -2.57
4   25      28.69        66.77       -46.02        -34.75
5   38    -264.88        24.64       153.38         84.35
6   48      72.80        26.17        10.46         -9.29
【００７８】
（数値実施例４）
＜エクステンダ退避時＞
単位 mm
面データ
面番号       r        d      nd         vd       有効径
1        137.692   15.77   1.48749    70.2      116.46
2      11176.442    1.00                        115.45
3        155.410    3.40   1.72916    54.7      109.94
4         97.082    6.11                        104.93
5        114.026   19.15   1.43387    95.1      104.59
6       -398.091    1.50                        103.45
7       -290.048    3.20   1.72916    54.7      103.29
8        194.386   16.10                        100.24
9        160.018   15.42   1.43387    95.1      100.63
10       -334.258    0.20                         99.97
11        143.542    6.69   1.43387    95.1       95.07
12        258.535  (可変)                         93.66
13*    -74434.209    1.20   1.77250    49.6       32.93
14         29.645    5.59                         29.81
15       -195.795    1.00   1.61800    63.3       29.58
16         32.631    6.90   1.73800    32.3       29.19
17       -140.681    3.61                         28.80
18        -37.772    1.00   1.59522    67.7       28.12
19        606.760    0.20                         28.34
20        105.203    3.13   1.51742    52.4       28.46
21       -180.867  (可変)                         28.45
22        -71.520    1.00   1.69680    55.5       36.46
23        150.080    3.26   1.84666    23.8       37.96
24      -8857.141  (可変)                         38.52
25        212.199    5.52   1.59349    67.0       41.28
26*       -79.926    1.00                         41.78
27         43.946    9.78   1.59522    67.7       43.12
28       -110.217  (可変)                         42.46
29(絞り)    ∞       2.77                         34.27
30       -490.595    5.12   1.43875    94.9       32.21
31        -42.372    1.20   2.00330    28.3       30.92
32        137.949    6.04                         30.30
33       1789.327    4.55   1.56732    42.8       30.16
34        -46.939   16.76                         30.11
35       -592.755    6.98   1.84666    23.8       21.49
36        -20.295    1.00   2.00100    29.1       20.55
37       128.528    40.00                         20.09
38         57.880    6.49   1.48749    70.2       29.71
39        -44.479    3.00                         29.71
40       -280.422    1.20   1.83481    42.7       27.83
41        148.279    3.57   1.72825    28.5       27.51
42       -102.425    4.48                         27.22
43        -35.798    1.20   1.88300    40.8       25.84
44         71.908    6.50   1.62004    36.3       26.48
45        -55.722    53.89                        27.26
像面        ∞   
非球面データ
第13面
K = 1.98460e+007  A 4= 1.97993e-006  A 6= 9.85625e-011  A 8= 2.46937e-013  A10=-8.92775e-014  A12= 7.32430e-016  A14=-2.37718e-018  A16= 2.84765e-021  
第26面
K =-1.46160e+000  A 4= 8.55710e-007  A 6= 6.56336e-010  A 8=-1.00583e-012  A10= 3.83979e-015  A12=-1.98113e-018  A14=-6.69496e-021  A16= 9.28272e-024  
各種データ
ズーム比     18.00 
広角     中間     望遠
焦点距離      45.00   482.09   810.00  
Fナンバー      4.50     4.50     7.00  
画角          18.21     1.76     1.05  
像高          14.80    14.80    14.80  
レンズ全長   450.00   450.00   450.00  
BF            53.89    53.89    53.89  
d12            4.00   123.01   132.80  
d21          137.84     4.44    11.23  
d24            4.04    18.22     1.50  
d28            7.65     7.86     8.00  
入射瞳位置   150.12  1391.92  2120.10  
射出瞳位置  -129.42  -129.42  -129.42  
前側主点位置 184.08   606.10  -649.21  
後側主点位置   8.89  -428.21  -756.11  
ズームレンズ群データ
群  始面    焦点距離  レンズ構成長  前側主点位置  後側主点位置
1    1     216.70        88.54        34.46        -41.26
2   13     -33.02        22.63         2.30        -14.44
3   22    -115.67         4.26        -0.10         -2.44
4   25      35.66        16.30         5.01         -5.84
5   29     -33.65        44.41        18.15        -12.21
6   38     115.70        26.44        -9.80        -27.44
【００７９】
＜エクステンダ挿入時＞
単位 mm
面データ
面番号       r        d      nd         vd       有効径
37        128.528    4.66                         20.09
IE38       22.151    3.42   1.43875    94.9       19.70
IE39       53.717    4.72                         19.04
IE40     -775.637    0.80   2.00100    29.1       17.80
IE41       21.696    4.67   1.80440    39.6       17.41
IE42      -86.841    5.00                         17.24
IE43      192.674    0.80   1.59522    67.7       15.60
IE44       12.188    6.42   1.59270    35.3       14.92
IE45      -41.238    3.71                         14.23
IE46      -28.580    0.80   1.77250    49.6       12.10
IE47       56.797    5.00                         11.89
48         57.880    6.49   1.48749    70.2       29.71
49        -44.479    3.00                         29.71
50       -280.422    1.20   1.83481    42.7       27.83
51        148.279    3.57   1.72825    28.5       27.51
52       -102.425    4.48                         27.22
53        -35.798    1.20   1.88300    40.8       25.84
54         71.908    6.50   1.62004    36.3       26.48
55        -55.722   53.89                         27.26
像面        ∞   
各種データ
ズーム比     18.00 
広角     中間     望遠
焦点距離      67.50   723.14  1215.00  
Fナンバー      6.75     6.75    10.50  
画角          12.37     1.17     0.70  
像高          14.80    14.80    14.80  
レンズ全長   450.00   450.00   450.00  
BF            53.89    53.89    53.89  
d12            4.00   123.01   132.80  
d21          137.84     4.44    11.23  
d24            4.04    18.22     1.50  
d28            7.65     7.86     8.00  
入射瞳位置   150.12   1391.92    2120.10  
射出瞳位置   -52.23    -52.23     -52.23  
前側主点位置 174.69  -2812.89  -10576.52  
後側主点位置 -13.61   -669.25   -1161.11  
ズームレンズ群データ
群  始面    焦点距離  レンズ構成長  前側主点位置  後側主点位置
1    1     216.70        88.54        34.46        -41.26
2   13     -33.02        22.63         2.30        -14.44
3   22    -115.67         4.26        -0.10         -2.44
4   25      35.66        16.30         5.01         -5.84
5   29     -33.65        44.41        18.15        -12.21
6   38    -326.12        30.34       190.59        105.89
7   48     115.70        26.44        -9.80        -27.44
【００８０】
（数値実施例５）
＜エクステンダ退避時＞
単位 mm
面データ
面番号       r        d      nd         vd
1        152.099   17.20   1.48749    70.2           
2     -23344.659    1.00                             
3        151.436    3.40   1.72916    54.7           
4        103.587    7.15                             
5        128.457   20.46   1.43387    95.1           
6       -342.625    1.50                             
7       -269.216    3.20   1.72916    54.7           
8        205.789   15.77                             
9        157.093   16.47   1.43387    95.1           
10       -322.888    0.20                             
11        150.950    6.53   1.43387    95.1           
12        259.875  (可変)                             
13*      -190.766    1.20   2.00100    29.1           
14         38.369    5.87                             
15       -143.495    1.00   1.59522    67.7           
16         38.531    8.13   1.80000    29.8           
17        -59.406  (可変)                             
18        -39.596    1.00   1.59522    67.7           
19        149.891    0.20                             
20         71.494    2.28   1.80809    22.8           
21        128.832  (可変)                             
22        -67.735    1.00   1.72916    54.7           
23        139.424    3.50   1.84666    23.8           
24      -1332.081  (可変)                             
25        190.705    6.54   1.59349    67.0           
26*       -67.697    1.00                             
27         47.325    8.32   1.61800    63.3           
28       -207.805    9.28                             
29(絞り)    ∞       2.29                             
30        208.522    6.42   1.43875    94.9           
31        -38.067    1.20   2.00330    28.3           
32        108.280    0.20                             
33         37.217    8.75   1.56732    42.8           
34        -65.490    7.03                             
35     -15581.828    1.20   2.00100    29.1           
36         14.527    6.99   1.84666    23.8           
37         43.246   40.00                             
38         42.466    6.60   1.48749    70.2           
39        -39.920    3.00                             
40       -130.543    1.00   1.83481    42.7           
41         38.614    5.03   1.72825    28.5           
42        -73.155    2.37                             
43        -29.818    1.00   1.88300    40.8           
44        163.293    4.76   1.64769    33.8           
45        -54.853   52.00                             
像面        ∞   
非球面データ
第13面
K = 6.31849e+001  A 4= 2.87839e-006  A 6= 1.56495e-009  A 8=-1.03333e-011  A10= 5.39280e-014  A12=-8.23293e-017  A14=-6.58690e-020  A16= 2.75624e-022  
第26面
K =-1.80551e-001  A 4= 5.58008e-007  A 6= 2.64789e-010  A 8=-1.39744e-012  A10= 4.71189e-015  A12=-6.90531e-018  A14= 2.89543e-021  A16= 1.54147e-024  
各種データ
ズーム比     18.48 
広角     中間     望遠
焦点距離      44.05   480.00   814.00  
Fナンバー      4.50     4.50     6.76  
画角          18.57     1.77     1.04  
像高          14.80    14.80    14.80  
レンズ全長   450.00   450.00   450.00  
BF            52.00    52.00    52.00  
d12            7.00   122.55   132.32  
d17            3.12    10.13     8.75  
d21          142.84     5.00    11.89  
d24            5.00    20.29     5.00  
ズームレンズ群データ
群  始面    焦点距離  
1    1     216.97  
2   13     -85.00  
3   18     -71.34  
4   22    -107.90  
5   25      37.06  
6   38     117.26  
【００８１】
＜エクステンダ挿入時＞
単位 mm
面データ
面番号       r        d      nd         vd
37         43.246    5.00                             
IE38       20.478    3.62   1.43875    94.9           
IE39       51.712    5.00                             
IE40     -218.360    0.80   2.00100    29.1           
IE41       26.211    4.59   1.67300    38.1           
IE42      -51.006    5.00                             
IE43      109.812    0.80   1.59349    67.0           
IE44       11.622    7.11   1.62588    35.7           
IE45      -33.633    2.28                             
IE46      -22.506    0.80   1.81600    46.6           
IE47       56.797    5.00                             
48         42.466    6.60   1.48749    70.2           
49        -39.920    3.00                             
50       -130.543    1.00   1.83481    42.7           
51         38.614    5.03   1.72825    28.5           
52        -73.155    2.37                             
53        -29.818    1.00   1.88300    40.8           
54        163.293    4.76   1.64769    33.8           
55        -54.853   52.00                             
像面        ∞   
非球面データ
第13面
K = 6.31849e+001  A 4= 2.87839e-006  A 6= 1.56495e-009  A 8=-1.03333e-011  A10= 5.39280e-014  A12=-8.23293e-017  A14=-6.58690e-020  A16= 2.75624e-022  
第26面
K =-1.80551e-001  A 4= 5.58008e-007  A 6= 2.64789e-010  A 8=-1.39744e-012  A10= 4.71189e-015  A12=-6.90531e-018  A14= 2.89543e-021  A16= 1.54147e-024  
各種データ
ズーム比     18.48 
広角     中間     望遠
焦点距離      66.00   719.23  1219.69  
Fナンバー      6.75     6.75    10.13  
画角          12.64     1.18     0.70  
像高          14.80    14.80    14.80  
レンズ全長   450.00   450.00   450.00  
BF            52.00    52.00    52.00  
d12            7.00   122.55   132.32  
d17            3.12    10.13     8.75  
d21          142.84     5.00    11.89  
d24            5.00    20.29     5.00  
ズームレンズ群データ
群  始面    焦点距離  
1    1     216.97  
2   13     -85.00  
3   18     -71.34  
4   22    -107.90  
5   25      37.06  
6   38    -282.18  
7   48     117.26  
【００８２】
【表１】
0006393109.tif 000003
【符号の説明】
【００８３】
Ｕ１    ：  第１レンズ群
Ｕ２    ：  第２レンズ群
Ｕ３    ：  第３レンズ群
Ｕ４    ：  第４レンズ群
ＵＲ１  ：  Ｒ１レンズ群
ＵＲ２  ：  Ｒ２レンズ群
ＳＰ    ：  開口絞り
ＵＲ１Ａ：  Ｒ１Ａレンズ群
ＵＲ１Ｂ：  Ｒ１Ｂレンズ群
【図１】
0006393109.tif 000004
【図２】
0006393109.tif 000005
【図３】
0006393109.tif 000006
【図４】
0006393109.tif 000007
【図５】
0006393109.tif 000008
【図６】
0006393109.tif 000009
【図７】
0006393109.tif 000010
【図８】
0006393109.tif 000011
【図９】
0006393109.tif 000012
【図１０】
0006393109.tif 000013
【図１１】
0006393109.tif 000014
【図１２】
0006393109.tif 000015
【図１３】
0006393109.tif 000016
【図１４】
0006393109.tif 000017
【図１５】
0006393109.tif 000018
【図１６】
0006393109.tif 000019
【図１７】
0006393109.tif 000020